(57)【要約】【課題】従来のイヤリングは身体に直接付ける装身のためのみのものであった。この考案は装身具としてのイヤリングに、健康をサポートするために、これを付ける場所である耳朶に存在する「耳ばり」（耳朶のつぼ）に刺激を与えうるようにすることを目的とするものである。【解決手段】この考案は、前記目的を達成するために、装飾体１と、これを耳朶に挟着するための挟着手段２とを有するイヤリングにおいて、前記装飾体１の裏面側と、前記挟着手段２側とに設け耳朶を挟持する耳朶挟着片３，４の一方または双方をゲルマニウムを材料とする耳朶挟着片とすることで達成できる。【選択図】　　　図１
0003097078.tif 000002
【実用新案登録請求の範囲】
【請求項１】
装飾体１とこれを耳朶に挟着するための挟着手段２とを有するイヤリングにおいて、前記装飾体１の裏面側と、前記挟着手段２側とに設け耳朶を挟持する耳朶挟着片３，４の一方または双方をゲルマニウムを材料とする耳朶挟着片としたことを特徴とするイヤリング。
【請求項２】
装飾体１と、前記装飾体１の他面側と一端側が一体をなし他端側がＵ字状に湾曲した第一の取付け部材６と、前記第一の取付け部材６の他端側と一端側とを枢着すると共に他端側に一端に耳朶挟着片４を他端に摘み１３を取付けたねじ桿１４を螺着した第二の取り付け部材８と、前記第二の取付け部材８の内側に一端を固定し他端を第一の取付け部材６の内側に圧接させ前記第二の取付け部材８が枢着部１０で一側のみに屈折しうるように付勢する板ばね１１とからなる挟着手段２を有するイヤリングにおいて、前記装飾体１の他面と前記挟着手段２側とに取付けた耳朶を挟持する耳朶挟着片３，４の一方または双方をゲルマニウムを材料とする耳朶挟着片としたことを特徴とするイヤリング。
【請求項３】
一面に装飾体１を取付けた台座１５と、その他面側と一端側が一体をなし他端側がＵ字状に湾曲した第一の取付け部材６と、前記第一の取付け部材６の他端側と一端側とを枢着すると共に他端側に一端に耳朶挟着片４を他端に摘み１３を取付けたねじ桿１４を螺着した第二の取付け部材８と、前記第二の取付け部材８の内側に一端を固定し他端を第一の取付け部材６の内側に圧接させ前記第二の取付け部材８が枢着部で一側のみに屈折しうるように付勢する板ばね１１とからなる挟着手段２を有するイヤリングにおいて、前記台座１５の他面と前記挟着手段２側とに取付けた耳朶を挟持する耳朶挟着片３，４の一方または双方をゲルマニウムを材料とする耳朶挟着片としたことを特徴とするイヤリング。
【請求項４】
請求項１および２に記載の耳朶挟着片３，４が半球状または板状体であることを特徴とするイヤリング。
【請求項５】
請求項１および２に記載のゲルマニウムが無機ゲルマニウムであることを特徴とするイヤリング。
【請求項６】
請求項１および２に記載のゲルマニウムが粒粉ゲルマニウムであることを特徴とするイヤリング。
【請求項７】
請求項１および２に記載の耳朶挟着片３，４がゲルマニウムを含む材料で形成したことを特徴とするイヤリング。
【考案の詳細な説明】
【０００１】
【考案の属する技術分野】
この考案はイヤリング（耳飾り）に係り、詳しくはイヤリングを構成する装飾体を耳朶に挟着するための挟着手段に健康をサポートする機能を付加したイヤリングに関するものである。
【従来の技術】
【０００２】
古来より人が身体を装飾するものとして首輪や腕輪と共にイヤリング（耳飾り）が用いられている。
この、イヤリングの装着態様としては耳朶に外科的に小穴を開けこの小穴にピンを挿入して取付けるピン式，耳朶を挟むようにして取付けるクリップ式とネジ式とがある。前記したクリップ式のものは装飾体に取付けたクリップで耳朶を挟むものであるが耳朶の厚さには個人差があり一様ではないために挟み加減の調整ができにくいこの式のものは、耳朶が厚い場合には耳朶を痛め、耳朶が薄いと耳朶から脱落してしまうと言う欠点がある。
また、ネジ式のものは、Ｕ字状またはコ字状の取り付け部材の一端に装飾体を取付け、他端側に螺着したネジ桿の一端に耳朶を傷つけないようにするための耳朶挟着片を他端に前記ネジ桿を回しやすくする摘みが設けられ、ネジ桿を進退させることで挟着強さを加減できるものである。
【０００３】
唯一永久磁石を用いたイヤリングとして、実開平３−２１２０９号公報に記載の「磁石を付けたイヤリング」が存在する。しかし、これは前記したピン式，クリップ式あるいはネジ式のイヤリング挟着手段に代わり得るものとして一対の磁石の異極を対向させてその磁気的な作用を利用して耳朶にイヤリングを挟着するものである。
前記した首輪や腕輪には、健康をサポートするために、磁石やゲルマニウムとプラチナや銀のような貴金属類とを用いたものが多用されている。
鍼灸では「耳ばり」と称する耳朶の「つぼ」への刺激が健康をサポートする上で有効であると言われている。しかし、今日まで耳朶に取付け、健康をサポートするために耳朶を物理的に刺激するイヤリングは存在していない。
【考案が解決しようとする課題】
【０００４】
従来のイヤリングは身体に直接付ける装身のためのみのものであった。この考案は装身具としてのイヤリングに、健康をサポートするために、これを付ける場所である耳朶に存在する「耳ばり」（耳朶のつぼ）に物理的な刺激を与えうるようにすることを目的とするものである。
【課題を解決するための手段】
【０００５】
この考案は、前記目的を達成するために、装飾体と、これを耳朶に挟着するための挟着手段とを有するイヤリングにおいて、前記装飾体の裏面側と、前記挟着手段側とに設け耳朶を挟持する耳朶挟着片の一方または双方をゲルマニウムを材料とする耳朶挟着片とすることで達成できる。
【０００６】
この考案は、前記目的をより具体的に達成するために、装飾体と、前記装飾体の他面側と一端側が一体をなし他端側がＵ字状に湾曲した第一の取付け部材と、前記第一の取付け部材の他端側と一端側とを枢着すると共に他端側に一端に耳朶挟着片を他端に摘みを取り付けたねじ桿を螺着した第二の取り付部材と、前記第二の取付け部材の内側に一端を固定し他端を第一の取付け部材の内側に摺接させ前記第二の取付け部材が枢着部で一側のみに屈折しうるように付勢する板ばねとからなる挟着手段とを有するイヤリングにおいて、前記台座の他面と前記挟着手段側とに設け耳朶を挟持する耳朶挟着片の一方または双方をゲルマニウムを材料とする耳朶挟着片とすることで達成できる。
【考案の実施の形態】
【０００７】
この考案のイヤリングは、図１〜３および図５に示すように、装飾体１とこれを耳朶（図示してない）に挟着するための挟着手段２とを有するイヤリングにおいて、前記装飾体１の裏面側と、前記挟着手段２側とに設け耳朶を挟持する耳朶挟着片３，４の一方または双方をゲルマニウムを材料とする耳朶挟着片とするものである。
【０００８】
このイヤリングを具体的に示せば、図１〜３に示すように、一面に自然界に存在するかもしくは人工的に作られた装飾体１と、図５に示すようにその他面側の上方に設けた凹部５ａ内に前記耳朶挟着片３を埋設するようにして接着剤を用いて取付け、またその他面側下方に設けた凹部５ｂ内には一端側を埋設するようにして他端側が平均耳朶厚の１．５〜２曲げ半径でＵ字（釣り針）状に湾曲し図２，３に示すように丸棒状の第一の取付け部材６を前記装飾体１と一体をなす如くに接着剤を用いて取付ける。
【０００９】
前記挟着手段２は、図１〜３ならびに図５に示すように、前記第一の取付け部材６の他端側を扁平に加工してこの扁平部分に軸穴７ａを穿設し、この他端側と同様に一端側に軸穴７ｂを開けた断面がコ字状の第二の取付け部材８とを軸９をもって枢着して枢着部１０を構成すると共に、前記第二の取付け部材８の内側に一端を固定し他端を前記第一の取付け部材６の内側に圧接し、図４に示すように前記第二の取付け部材８が枢着部１０で一側（外側）のみにしか屈折しえないように付勢する板ばね１１を取付け、前記第二の取付け部材８の他端側には雌ねじ桿１２を取付け、この雌ねじ桿１２に一端に前記耳朶挟着片４を他端に円盤状で周面に滑り止めのためのローレットを施した摘み１３を取付けたねじ桿１４を螺着したものである。
【００１０】
前記装飾体１の他面と前記挟着手段２側とに設け耳朶を挟持する半球状で一対の耳朶挟着片３，４の一方または双方をゲルマニウムを材料とするかまたはゲルマニウムを含む材料とした耳朶挟着片とする。
【００１１】
このイヤリングの他の実施例としては、図６に示すように、自然界に存在するかもしくは人工的に作られた装飾体１を、前記した挟着手段２を構成する第一の取付け部材６一端を他面側に固定した台座１５の一面に接着剤をもって固定する構成をとっても良い。
また、図示はしていないが前述のように枢着部１０を持った開閉式とせず、第一および第二の取付け部材６，８を一体化して平均耳朶厚の１．５〜２曲げ半径でＵ字状に構成した物でも良い。
【００１２】
前記挟着手段２の各パーツは、金属または一部をプラスチックで形成し、これらに前記装飾体１の色や材質とのマッチングを考慮して金あるいは銀等の貴金属メッキを施すか、前記装飾体１が宝石類であれば金，プラチナあるいは銀等の貴金属のむく材料を用いて形成する。
また、耳朶挟着片３，４は亜金属の半導体である含有密度が９９．９９９％以上の無機または無機の単あるいは面立方構造の結晶ゲルマニウムのインゴットからチップを切り出し半球状に加工するか、または粒粉ゲルマニウムか前記加工の際生じた粒粉ゲルマニウムを軟質のゴムやプラスチックかその他の材料で外側をコーチングするかカプセル状あるいは合金状にしたもので構成して、接着剤を用いて装飾体１あるいは台座１５とねじ桿１４の単部に接着固定する。
【実施例】
【００１３】
上述した構成のイヤリングは、使用にあたっては通常のものと同様に摘み１３をもってねじ桿１４を左回転して両耳朶挟着片３，４の相対間隔を広げ、図４に示すようにさらに第二の取付け部材８を枢着部１０で外側に折り曲げ、装飾体１が前を向くようして下から持ち上げ、第二の取付け部材８を図１に示すように枢着部１０で内側に起こしてから摘み１３をもってねじ桿１４を右回転して耳朶を両耳朶挟着片３，４を耳朶に心地よい圧力で押着するようにして取付ける。
【００１４】
耳朶の両側に押し当てた耳朶挟着片３，４のゲルマニウムは、接触面の温度が３２℃（人の平均体温：３６．５℃）以上になるとゲルマニウムからマイナス電子が外に飛び出して身体内に入り、血液や体液をさらさらにして血流や体液流を盛んにするので、体内に新鮮な酸素が満ち溢れ安定したリラックス状態になる。磁気と違って半永久的で、常温作用はトルマリンやセラミックをはるかに超えた効果がある。
また、耳のつぼを刺激すると、良く知られているように肩こりや体重のコントロールや耳鳴りや鼻炎等の症状を逓減させ得る。
【考案の効果】
【００１５】
装飾体と、これを耳朶に挟着するための挟着手段とを有するイヤリングにおいて、前記装飾体の裏面側と、前記挟着手段側とに設け耳朶を挟持する耳朶挟着片の一方または双方をゲルマニウムを材料とする耳朶挟着片としたので、耳朶挟着片の接触面の温度が３２℃以上（人の平均体温：３６．５℃）になるとゲルマニウムからマイナス電子が外に飛び出し、血液や体液をさらさらにし、体内に新鮮な酸素が満ち溢れ安定したリラックス状態になると言う健康をサポートする機能を有する。
【００１６】
装飾体と、前記装飾体の他面側と一端側が一体をなし他端側がＵ字状に湾曲した第一の取付け部材と、前記第一の取付け部材の他端側と一端側とを枢着すると共に他端側に一端に耳朶挟着片を他端に摘みを取付けたねじ桿を螺着した第二の取付け部材と、前記第二の取付け部材の内側に一端を固定し他端を第一の取付け部材の内側に摺接させ前記第二の取付け部材が枢着部で一側のみに屈折しうるように付勢する板ばねとからなる挟着手段を有するイヤリングにおいて、前記台座の他面と前記挟着手段側とに設け耳朶を挟持する耳朶挟着片の一方または双方をゲルマニウムを材料とする耳朶挟着片としたので、耳朶挟着片の接触面の温度が３２℃以上（人の平均体温：３６．５℃）になるとゲルマニウムからマイナス電子が外に飛び出し、血液や体液をさらさらにし、体内に新鮮な酸素が満ち溢れ安定したリラックス状態になると言う健康をサポートする機能を有する。
【００１７】
一面に装飾体を取付けた台座と、その他面側と一端側が一体をなし他端側がＵ字状に湾曲した第一の取付け部材と、前記第一の取付け部材の他端側と一端側とを枢着すると共に他端側に一端に耳朶挟着片を他端に摘みを取り付けたねじ桿を螺着した第二の取り付部材と、前記第二の取付け部材の内側に一端を固定し他端を第一の取付け部材の内側に摺接させ前記第二の取付け部材が枢着部で一側のみに屈折しうるように付勢する板ばねとからなる挟着手段を有するイヤリングにおいて、前記台座の他面と前記挟着手段側とに設け耳朶を挟持する耳朶挟着片の一方または双方をゲルマニウムを材料とする耳朶挟着片としたので、耳朶挟着片の接触面の温度が３２℃以上（人の平均体温：３６．５℃）になるとゲルマニウムからマイナス電子が外に飛び出し、血液や体液をさらさらにし、体内に新鮮な酸素が満ち溢れ安定したリラックス状態になると言う健康をサポートする機能を有する。
【００１８】
請求項１および２に記載の耳朶挟着片が半球状体としたので、耳朶への接触面積が大きく、また耳朶への当たりが優しくマイナス電子の身体への取り込量が増大し、健康をサポートする機能がより倍増する。
【００１９】
請求項１および２に記載の耳朶挟着片が無機あるいは無機ゲルマニウムを含む軟質材料で形成したので耳朶への当たりが優しい。
【図面の簡単な説明】
【図１】この考案の実施例であるイヤリングの側面図。
【図２】図１のＡ−Ａ断線における断面図。
【図３】図１のＢ−Ｂ断線における断面図。
【図４】挟着手段である取付け部材を折り曲げた状態の側面図。
【図５】この考案の実施例であるイヤリングの縦断面図。
【図６】この考案の他の実施例であるイヤリングの側面図。
【符号の説明】
１：装飾体
２：挟着手段
３，４：耳朶挟着片
５ａ，５ｂ：凹部
６：第一の取付け部材
７ａ，７ｂ：軸穴
８：第二の取付け部材
９：軸
１０：枢着部
１１：板ばね
１２：雌ねじ桿
１３：摘み
１４：ねじ桿
１５：台座
【図１】
0003097078.tif 000003
【図２】
0003097078.tif 000004
【図３】
0003097078.tif 000005
【図４】
0003097078.tif 000006
【図５】
0003097078.tif 000007
【図６】
0003097078.tif 000008